(57)【要約】      （修正有）【課題】容器全体に対する密閉性及び剛性に寄与すると共に、小さめな蓋部からの内容物の取り出しに至る経路を確保した包装用容器の蓋体及び上記蓋体を装着した包装用容器を提供する。【解決手段】容器本体を閉蓋する大蓋部１と、大蓋部に対して部分的に開閉可能に成型された小蓋部２とを備え、大蓋部は、容器本体と嵌合するように周設された凹状の大蓋嵌合部１４を有し、小蓋部は、大蓋部に対して大蓋嵌合部の外周端縁より外側に配され、大蓋嵌合部は、小蓋部と隣接する部分的に高さの低い大蓋嵌合切欠部１６を有する。【選択図】図１
0003214559.tif 000002
【実用新案登録請求の範囲】
【請求項１】
容器本体を閉蓋する大蓋部と、当該大蓋部に対して部分的に開閉可能に成型された小蓋部とを備え、
前記大蓋部は、前記容器本体と嵌合するように周設された凹状の大蓋嵌合部を有し、
前記小蓋部は、前記大蓋部に対して当該大蓋嵌合部の外周端縁より外側に配され、
前記大蓋嵌合部は、当該小蓋部と隣接する部分的に高さの低い大蓋嵌合切欠部を有する
ことを特徴とする包装用容器の蓋体。
【請求項２】
前記大蓋嵌合切欠部が、前記小蓋部に向かって傾斜している
ことを特徴とする請求項１に記載の包装用容器の蓋体。
【請求項３】
前記容器本体が、前記大蓋部で閉蓋される大収納部と、前記小蓋部で閉蓋される小収納部とで構成され、
前記大蓋嵌合切欠部が、閉蓋時に前記大収納部と前記小収納部との連通部周辺に位置する
ことを特徴とする請求項１又は２に記載の包装用容器の蓋体。
【請求項４】
前記大蓋嵌合切欠部が、前記連通部と同等以上の幅を有する
ことを特徴とする請求項３に記載の包装用容器の蓋体。
【請求項５】
請求項１乃至４のいずれか一項に記載の包装用容器の蓋体と、前記容器本体とを備えた
ことを特徴とする包装用容器。
【考案の詳細な説明】
【技術分野】
【０００１】
本考案は、例えば、食品等の内容物の収納時に用いる包装用容器の蓋体及び包装用容器に関し、特に、内容物の取り出し用として部分的に開閉可能な小さめな蓋部を有する包装用容器の蓋体及び包装用容器に関する。
【背景技術】
【０００２】
従来から、例えばスーパーマーケットやコンビニエンスストア等の小売店で販売される小粒な生鮮食材（例えば、微塵ネギ、ちりめんじゃこ等）は、食材の封入及び搬送の利便性、賞味期限及び異物混入に対する品質性、並びに包装材のコスト性に鑑みて、熱可塑性樹脂製の包装用容器が活用されてきた。さらに、生鮮食材の鮮度や商品価値を維持するために、開閉自在な包装用容器の蓋体の密閉性や、販売時の陳列や購入後の持ち運ぶに適した剛性も重視されてきた。
【０００３】
一方、食品全般の収納用容器としては、容器本体に対してヒンジ等で係脱自在な大蓋と、上記大蓋に対して部分的に設けた窓部に対してヒンジ等で開閉自在な小蓋とを備えた発想が開示されている（例えば特許文献１を参照。）。この発想によれば、小蓋の開閉により中身を容易に取り出せるため、大蓋の開蓋に伴うスペースの確保や移動が不要になるという効果を期待するものである。
【先行技術文献】
【特許文献】
【０００４】
【特許文献１】実用新案登録第３００６８６３号公報
【考案の概要】
【考案が解決しようとする課題】
【０００５】
しかるに上述した従来技術の発想では、劣化しやすい生鮮食材に対する密閉性や浅めかつ広めな形状に対する剛性に関する課題が未解決である。すなわち、容器本体の周縁フランジ部に対して大蓋の上縁フランジ部を外側から係止して閉蓋状態を保持しているため、上記周縁フランジ部と上記上縁フランジ部との接触部分に隙間が生じるのみならず、軟性の素材や薄肉の成型品では容器全体における強度不足が懸念される。
【０００６】
また、上述した課題を解決しても、食品の取り出しやすさに関する課題が残ってしまう。すなわち、上述した従来技術の発想では、小粒な生鮮食材を取り出すのに大蓋又は小蓋を開けて指でつまむかスプーン等ですくうかしなければならず、手軽かつ少量の取り出しには不向きである。さらに、大蓋の開蓋回数が多いほど食材が大気に触れてしまうため、劣化を早やめてしまう恐れもある。
【０００７】
このような未解決の課題に対し、考案者等は創意工夫の末、従来技術と全く異なる技術的思想に基づいた新たな蓋体の開発に行き着いた。すなわち、食材の劣化や取り出しにくさに関する工夫のみならず、容器内での食品の詰まりやすさ（流動性の低下）を解消する構造を盛り込んだ包装用容器の蓋体である。
【０００８】
そこで本考案の目的は、容器全体に対する密閉性及び剛性に寄与すると共に、小さめな蓋部からの食材等の内容物の取り出しに至る経路を確保した包装用容器の蓋体及び上記蓋体を装着した包装用容器を提供することにある。
【課題を解決するための手段】
【０００９】
上記課題を解決するために、本考案による包装用容器の蓋体は、容器本体を閉蓋する大蓋部と、上記大蓋部に対して部分的に開閉可能に成型された小蓋部とを備え、上記大蓋部は、上記容器本体と嵌合するように周設された凹状の大蓋嵌合部を有し、上記小蓋部は、上記大蓋部に対して上記大蓋嵌合部の外周端縁より外側に配され、上記大蓋嵌合部は、上記小蓋部と隣接する部分的に高さの低い大蓋嵌合切欠部を有していてもよい。
【００１０】
上記大蓋嵌合切欠部が、上記小蓋部に向かって傾斜していることが望ましい。
【００１１】
上記容器本体が、上記大蓋部で閉蓋される大収納部と、上記小蓋部で閉蓋される小収納部とで構成され、上記大蓋嵌合切欠部が、閉蓋時に上記大収納部と上記小収納部との連通部周辺に位置することが望ましい。
【００１２】
上記大蓋嵌合切欠部が、上記連通部と同等以上の幅を有することが望ましい。
【００１３】
さらに、本考案による包装用容器は、上述した特徴を有する蓋体と、上記容器本体とを備えたことを特徴としてもよい。
【考案の効果】
【００１４】
本考案における包装用容器の蓋体では、容器本体に対して周設された凹状の大蓋嵌合部を介して大蓋部を閉蓋することにより、容器全体に対する密閉性及び剛性に寄与し、上記大蓋嵌合部より外側に配された小蓋部を開閉することにより、容器全体を傾けて食材を容易に取り出せると共に、上記大蓋嵌合部に上記小蓋部と隣接する部分的に高さの低い大蓋嵌合切欠部を設けたことにより、内容物を詰まりにくくし流動性を向高める経路を確保することができる。
【図面の簡単な説明】
【００１５】
【図１】本実施形態における包装用容器の蓋体の平面側から見た後方斜視図である。
【図２】上記包装用容器の蓋体の底面図である。
【図３】上記包装用容器の蓋体の部分拡大端面図である。
【図４】上記包装用容器の蓋体の正面図である。
【考案を実施するための形態】
【００１６】
図１〜図４を参照しつつ、本考案の実施形態における包装用容器（「本包装用容器」ともいう。）の蓋体及び容器本体の構成、作用効果、並びに使用状態を説明する。
なお、図１及び図４は、本包装用容器の蓋体を容器本体に組み合わせた使用状態の一例を示している。図３は、図１のＡ−Ａ部分の拡大端面を示している。説明の便宜上のため、図１及び図４では、容器本体や実施形態上視認できず又は視認しにくい部分を二点鎖線（想像線）で示している。
【００１７】
まず、本包装用容器の蓋体及び容器本体の構成及び作用効果を説明する。
【００１８】
図１に示すとおり、本包装用容器は、蓋体Ｍと、この蓋体で開口部分を閉蓋される容器本体Ｎとを備えていてもよい。
なお、蓋体Ｍは、容器本体Ｎに対して着脱自在でもヒンジ等で連結されていてもよい。
【００１９】
蓋体Ｍは、平面視で略矩形状で、大蓋部１と、この大蓋部に対して部分的に開閉できるように一体的に成型された小蓋部２とで構成されていてもよい。
なお、蓋体Ｍの平面視での形状は、例えば、正方形、長方形、円形、半円形、又は楕円形でもよく、大蓋部１及び小蓋部２の平面視での形状と一致していてもしていなくてもよい。蓋体Ｍの高さその他の寸法に限定はない。
【００２０】
容器本体Ｎは、平面視で蓋体Ｍと同形状で、大蓋部１に閉蓋される大収納部３と、小蓋部２に閉蓋されこの大収納部と連通するように一体的に成型された小収納部４とで構成されていてもよい。換言すれば、容器本体Ｎは、大収納部３と小収納部４とを連通させる連通部５を介して食品を収容する一つの領域を形成したものでもよい。
なお、容器本体Ｎの平面視での形状は、例えば、正方形、長方形、円形、半円形、又は楕円形でもよく、大収納部３及び小収納部４の平面視での形状と一致していてもしていなくてもよい。容器本体Ｎの高さその他の寸法に限定はない。
【００２１】
大蓋部１は、平面視で略台形状であり、平坦状の大蓋天面部１１と、この大蓋天面部の外周端縁から上方に突出するように設けられた大蓋天面リブ部１２と、この大蓋天面リブ部の外周端縁から下方に向かって設けられた大蓋側部１３と、この大蓋側部（又はこの大蓋側部の下方部分）を含むように周設された垂直方向の端面形状が凹型の内嵌合式の大蓋嵌合部１４と、この大蓋嵌合部の上端から外方に延出された大蓋フランジ部１５とで構成されていてもよい。
なお、大蓋部１の平面視での形状は、例えば、正方形、長方形、円形、半円形、又は楕円形でもよい。大蓋天面リブ部１２はなくてもよく、大蓋天面部１１の外周縁端から下方に向かって大蓋側部１３が設けられてもよい。
【００２２】
小蓋部２は、平面視で略三角形状であり、平坦状の小蓋天面部２１と、この小蓋天面部に対して外側に突出するように設けられた垂直方向の端面形状が逆凹型の小蓋嵌合部２２と、この小蓋嵌合部の外周端縁から外方に延出された小蓋フランジ部２３とで構成されていてもよい。
なお、小蓋部２の平面視での形状は、例えば、正方形、長方形、円形、半円形、又は楕円形でもよい。小蓋部２のうち、実際に小収納部４を閉蓋する部分は、平面視形状でこの小収納部と同形でもよく、例えば略五角形でもよい。
【００２３】
図２に示すとおり、大蓋部１と小蓋部２とは、大蓋フランジ部１５と小蓋天面部２１とが面一になるように連接されていてもよい。大蓋部１と小蓋部２との連接部分には、折れ目が設けられていてもよい。周設された大蓋フランジ部１５と小蓋フランジ部２３とが面一になるように成型されてもよく、この大蓋フランジ部とこの小蓋フランジ部とで蓋体Ｍの平面視形状が略正方形となってもよい。
なお、大蓋部１と小蓋部２との連接部分には、スリットやミシン目が設けられていてもよい。大蓋天面部１１と小蓋天面部２１との相対的な高さ関係は、大蓋嵌合部１４に対する大蓋フランジ部１５の高さに応じてもよく、例えば、大蓋天面部１１より小蓋天面部２１の高さが低くてもよい。
【００２４】
図２及び図３に示すとおり、大蓋嵌合部１４は、大蓋側部１３（又はこの大蓋側部の下方部分）に相当する大蓋嵌合内側部１４ａと、この大蓋嵌合内側部より外方かつ略水平に延出している大蓋嵌合底部１４ｂと、この大蓋嵌合水平部の外端縁から上方に立設している大蓋嵌合外側部１４ｃとで、表面からの垂直方向の端面形状が凹型になるように構成されていてもよい。大蓋嵌合部１４は、小蓋部２に隣接して他の部分より大蓋嵌合内側部１４ａ及び大蓋嵌合外側部１４ｃの高さが低い大蓋嵌合切欠部１６を有していてもよい。この構成によれば、大蓋部１から大蓋嵌合切欠部１６を経由して小蓋部２に向かう直接的な経路が確保できるため、容器本体Ｎを傾けたときに、この大蓋部と小蓋部に沿って内容物をスムーズに取り出すことができる。大蓋嵌合切欠部１６は、小蓋部２の開蓋時に小収納部４の開口部分（又は大蓋部１と小蓋部２との連接部分）に近接する位置に配されていてもよい。
なお、大蓋嵌合内側部１４ａ、大蓋嵌合底部１４ｂ、及び大蓋嵌合外側部１４ｃの形状や寸法に限定はない。
【００２５】
図３に示すとおり、大蓋嵌合切欠部１６が、小蓋部２に向かって傾斜していてもよい。この構成によれば、大蓋嵌合部１４に対して小蓋部２の高さが相対的に高く又は低く配されていても、大蓋部１から大蓋嵌合切欠部１６を経由してこの小蓋部に向かう滑らかな曲線状の経路を確保できる。詳細には、大蓋嵌合切欠部１６の頂点付近、具体的には、大蓋嵌合内側部１４ａ及び大蓋嵌合外側部１４ｃの最も高さの低い部分（最もアーチが高い部分）として、例えば、大蓋嵌合切欠部１６の中央部分では、大蓋天面リブ部１２及び大蓋フランジ部１５に対して所定の段差がなく（又は成型上の僅かな段差を介して）連結していてもよい。大蓋天面リブ部１２の上端と大蓋フランジ部１５との相対的な高さ関係に応じて大蓋嵌合切欠部１６の天井部分の傾きを決定してもよく、例えば、この大蓋天面リブ部の上端がこの大蓋フランジ部より高い場合、この大蓋天面部からこの大蓋フランジ部に向かって下方に傾いていてもよい。
なお、大蓋天面リブ部１２の上端と大蓋フランジ部１５との高さが同一の場合、大蓋嵌合切欠部１６の天井部分の傾きはなくてもよい。大蓋天面リブ部１２がない場合、大蓋天面部１１の上端との高さに応じて大蓋嵌合切欠部１６の傾きを決定してもよい。
【００２６】
図１及び図４に示すとおり、大蓋嵌合切欠部１６は、大蓋部１の閉蓋時に連通部５の周辺に位置してもよい。この構成によれば、大収納部３から小収納部４に移動する内容物の連通部５付近の経路を縦方向に広がることができる。大蓋嵌合切欠部１６は、少なくとも連通部５の幅と同等以上の幅を有していてもよい。この構成によれば、大収納部３から小収納部４に移動する内容物の連通部５付近の経路を横方向に広げることができる。大蓋嵌合切欠部１６は、正面視形状で天井部分が湾曲しているアーチ型でもよく、大蓋嵌合部１４の高さに応じてアーチ型の曲率半径が大きくても小さくてもよく、その他、両端に角部分を有する門型、アーチが二つ以上連結した波型、斜面で形成される三角型でもよい。
【００２７】
図１に示すとおり、大収納部３は、平面視で大蓋部１と同形状であり、大収納底部３１と、この大収納底部の周端から立設された大収納側部３２と、この大収納側部の上端を含む上方部分に設けられた垂直方向の端面形状がＬ型の内嵌合式の大収納嵌合部３３と、この大収納嵌合部の上端から外方に延出された大収納フランジ部３４とで構成されていてもよい。
なお、大収納底部３１の平面視形状や大収納側部３２の水平方向の端面形状は、例えば、正方形、長方形、円形、半円形、又は楕円形でもよい。
【００２８】
小収納部４は、平面視で略五角形状であり、小収納底部４１と、この小収納底部の周端から立設された小収納側部４２と、この小収納側部の上方部分を含むように設けられた表面からの垂直方向の端面形状が逆凹型の小収納嵌合部４３と、この小収納嵌合部の外周端縁から外方に延出された小収納フランジ部４４とで構成されていてもよい。
なお、小収納底部４１の平面視形状や小収納側部４２の水平方向の端面形状は、例えば、正方形、長方形、円形、半円形、又は楕円形でもよい。小収納部４のうち、実際の平面視形状は、小蓋部２と同形でもよく、例えば小収納フランジ部４４の外周縁端にて平面視が略三角形状であってもよい。
【００２９】
大収納部３に対して小収納部４が成型される位置は、例えば、平面視で略台形状であるこの大収納部に対して容器本体Ｎの平面視形状が略正方形となるように成型されてもよい。大収納フランジ部３４と小収納フランジ部４４とが面一になるように成型されてもよく、この大収納フランジ部とこの小収納フランジ部とで容器本体Ｎの平面視形状が略正方形となってもよい。
【００３０】
連通部５は、部分的に切り欠いた大収納側部３２と小収納側部４２と共に、大収納底部３１と小収納底部４１とを一体的に連接した部分が該当してもよい。具体的には、大収納側部３２と小収納側部４２とが連接した部分の上端から下端を経由して大収納底部３１と小収納底部４１との境界部分に至るまでの範囲が該当してもよい。大収納側部３２又は小収納側部４２を切り欠いた部分の形状に応じて、連通部５の上方部分と下方部分との幅が同一でも相違していてもよく、例えば、上方部分の幅より下方部分の幅が狭くてもよい。
なお、連通部５の幅は、大収納部３から小収納部４に向かって内容物（食品等）が移動する程度であればよく、限定はない。
【００３１】
次に、本考案による包装用容器の蓋体と容器本体との使用状態を説明する。
【００３２】
図１に示すとおり、蓋体Ｍの大蓋部１は、容器本体Ｎの大収納部３に対してヒンジで開閉可能に成型されており、この大収納部における内容物の収納・取り出し時にこの大蓋部を開閉してもよい。大蓋部１の閉蓋時には、大蓋嵌合部１４が大収納嵌合部３３に対して内嵌合することで、閉蓋状態を維持してもよい。小蓋部２は、大蓋部１に対して折り目を折り曲げて部分的に開閉可能に成型されており、小収納部４における内容物の取り出し時にこの小蓋部を開放してもよい。小蓋部２の閉蓋時には、小蓋嵌合部２２が小収納嵌合部４３に対して外嵌合することで、閉蓋状態を維持してもよい。
【００３３】
図２及び図３に示すとおり、閉蓋状態にて、小蓋部２の小蓋天面部２１が、大蓋部１の大蓋天面リブ部１２の上端より低く位置すると共に、アーチ型の大蓋嵌合切欠部１６の天井部分がこの小蓋部に向かって下方に傾斜することにより、この大蓋天面リブ部の上端からこの大蓋嵌合切欠部を経由してこの小蓋天面部に渡る一連の経路が滑らかに連結していてもよい。
【００３４】
図１及び図４に示すとおり、容器本体Ｎから内容物を取り出す場合、小蓋部２及び小収納部４が下向きになるように包装用容器全体を傾けてもよい。大収納部３から小収納部４に食材を移動させるとき、大蓋嵌合切欠部１６の天井部分付近を食材が滑るように移動してもよい。大蓋嵌合切欠部１６が大蓋部１と小蓋部２との連接部分及び小収納部４の開口部分に近接していることから、この大蓋嵌合切欠部を通過次第、食材がこの小蓋部の開口部分から放出されてもよい。
【００３５】
なお、本実施形態における蓋体Ｍ及び容器本体Ｎは、例えば真空成型、熱板圧空成型、真空圧空成型、両面真空成型等のシート成型で、合成樹脂シートを熱成型することにより形成されてもよい。合成樹脂シートとしては、例えば、ポリエチレンテレフタレート等のポリエステル系樹脂、ポリスチレン等のスチレン系樹脂、ポリプロピレン等のオレフィン系樹脂で、単層や多層のシートを使用してもよい。樹脂としては、例えば、発泡樹脂を使用すれば、軽量かつ断熱性があり好ましい。さらに、シートの表面または裏面を合成樹脂フィルムで覆ってもよく、表面を覆った場合は印刷を施してもよい。合成樹脂シートの厚みは特に制限はない。
【産業上の利用可能性】
【００３６】
本考案における包装用容器の蓋体及びこの蓋体が装着された包装用容器は、容器内の内容物の取り出し効率の向上が期待できる観点から、飲食又は小売業に限らず、例えば、医療関係、教育関係、又は文具関係に関する産業に広く利用可能である。
【符号の説明】
【００３７】
Ｍ        蓋体
Ｎ        容器本体
１        大蓋部
１１      大蓋天面部
１２      大蓋天面リブ部
１３      大蓋側部
１４      大蓋嵌合部
１４ａ    大蓋嵌合内側部
１４ｂ    大蓋嵌合底部
１４ｃ    大蓋嵌合外側部
１５      大蓋フランジ部
１６      大蓋嵌合切欠部
２        小蓋部
２１      小蓋天面部
２２      小蓋嵌合部
２３      小蓋フランジ部
３        大収納部
３１      大収納底部
３２      大収納側部
３３      大収納嵌合部
３４      大収納フランジ部
４        小収納部
４１      小収納底部
４２      小収納側部
４３      小収納嵌合部
４４      小収納フランジ部
５        連通部
【図１】
0003214559.tif 000003
【図２】
0003214559.tif 000004
【図３】
0003214559.tif 000005
【図４】
0003214559.tif 000006